(57)【要約】 【課題】専用線がいままでどおりに一本であってヘッド部の構成がいままでどおりの構成であっても、連写撮影モードやセルフタイマモードが指定され撮影が行なわれているときには本体部からヘッド部に対して撮影指示が適時に伝えられる撮影システムを提供する。  【解決手段】レリーズボタン１３ｂと専用線１Ａを結ぶ部分にマスキング手段１０００ｂを設ける。連写撮影モードにおける撮影時に、カードＩ／Ｆ１０６ｂから満杯であるということを通知する信号が伝達されてきたときには、マスキング手段１０００ｂで撮影指示信号のヘッド部１ａへの伝達を禁止する。【選択図】  図３
2008079083.tif 000002
【特許請求の範囲】
【請求項１】
撮影光学系と撮像素子とを備えたヘッド部と、該ヘッド部から画像データを受け取って記録する本体部とを備えた撮影システムにおいて、
当該撮影システムは、連写モードを有するとともに、前記本体部から前記ヘッド部へ撮影指示信号を伝える専用線を備えたものであって、
前記本体部は、
前記ヘッド部に前記専用線を介して撮影指示信号を伝達する撮影指示手段と、
前記ヘッド部からの、前記撮影指示信号の受信に応じて行なわれた撮影により得られた画像データを受け取って記録媒体に記録する記録手段と、
連写モードにおける撮影時に前記記録媒体への画像データの記録が満杯になったことを受けて、前記専用線による撮影指示信号の前記ヘッド部への伝達を禁止するマスキング手段とを備えたことを特徴とする撮影システム。
【請求項２】
撮影光学系と撮像素子とを備えたヘッド部と、該ヘッド部から画像データを受け取って記録する本体部とを備えた撮影システムにおいて、
当該撮影システムは、セルフタイマモードを有するとともに、前記本体部から前記ヘッド部へ撮影指示信号を伝える専用線を備えたものであって、
前記本体部は、
前記ヘッド部に前記専用線を介して撮影指示信号を伝達する撮影指示手段と、
前記セルフタイマモードにおける撮影時における撮影時刻が到来するまでの間、前記専用線による撮影指示信号の前記ヘッド部への伝達を禁止するマスキング手段とを備えたことを特徴とする撮影システム。
【請求項３】
前記本体部が、シャッタボタンを備え、前記撮影指示手段は、シャッタボタンの押下を、撮影指示信号として、前記専用線を介して前記ヘッド部に伝達するものであることを特徴とする請求項１又は２記載の撮影システム。
【発明の詳細な説明】
【技術分野】
【０００１】
本発明は、撮影光学系と撮像素子とを備えたヘッド部と、ヘッド部から画像データを受け取って記録する本体部とを備えた撮影システムに関する。
【背景技術】
【０００２】
撮影装置にパーソナルコンピュータに接続可能なインターフェースを設けて、そのインターフェースで撮影装置をパーソナルコンピュータに接続しておいて、パーソナルコンピュータからそのインターフェースを通して撮影装置に撮影指示を与えることによって撮影装置に撮影を行なわせる遠隔撮影システムが提案されている（例えば特許文献１参照）。
【０００３】
また、撮影装置の中には、撮影光学系と撮像素子とを備えたヘッド部とシャッタボタンを備えた本体部とを備え、撮影時にヘッド部が本体部に装着されて撮影が行なわれるものがある（例えば特許文献２参照）。この特許文献２の様な撮影装置の多くは、ヘッド部が本体部に装着されたときに特許文献１と同じ様にヘッド部と本体部との双方が備えるインターフェースを通して相互通信により撮影に必要な情報の交換が行なわれて撮影が行なわれる。
【０００４】
しかしながら、シャッタボタンの押下を撮影指示として本体部から上記インターフェースを通してヘッド部に伝える構成にするとタイムラグが発生する恐れがあるので、シャッタボタンの押下を撮影指示としてヘッド部に伝える部分にだけは、インターフェースとは別に専用線が設けられているものもある（例えば特許文献３参照）。
【０００５】
ところで最近、連写撮影モードを有する撮影装置が増えてきている。この連写モードが指定されると、シャッタボタンが押され続けている間中、連続的に撮影が行なわれてメモリカードなどの記録媒体に画像データが順次に記録されていく。このため、連写モードにおける撮影時には稀に記録媒体への画像データの記録が満杯になってしまうことがある。もしも連写モードにおける撮影時に記録媒体への画像データの記録が満杯になったときには即座に撮影を中断させないと、記録媒体に記録することができないにも拘わらず撮影が行われ続けて余計な電力が消費されてしまう。
【０００６】
上記特許文献３の撮影装置では、撮影指示信号をヘッド部に遅れることなく適時に伝えるために専用線を設けシャッタボタンの押下の信号がその専用線を経由してそのまま伝えられるため、シャッタボタンが押され続けたままであると記録媒体への画像データの記録が満杯になったときにはその専用線以外のインターフェースを通して撮影の中断を伝えなければならなくなる。しかし、撮影の中断指示を、インターフェースを通して通知する構成にすると通知が遅れて通知が遅れた分、ヘッド部側で余計な電力が消費されてしまう。
【０００７】
このことに対処するために上記専用線とは別に、記録媒体が満杯であることを通知するための専用線をもう一本設けても良いが、そうすると部品点数が増えてしまう。
【０００８】
また最近の撮影装置には、セルフタイマモードを有しているものも多い。しかし上記特許文献３の撮影システムにおいては、セルフタイマモードであってもシャッタボタンの押下が撮影指示として即座に専用線を通してヘッド部に伝えられてしまう。インターフェースを介してセルフタイマモードであることを伝えておいて専用線で撮影指示を受けたときにヘッド部側で処理を行なう構成にしても良いが、そうするとヘッド部の構成が複雑になってしまう。
【特許文献１】特開２００５−２１０５８９号公報
【特許文献１】特開２００５−１８１７１８号公報
【特許文献１】特開２００５−２７８０２１号公報
【発明の開示】
【発明が解決しようとする課題】
【０００９】
本発明は、上記事情に鑑み、専用線の構成およびヘッド部の構成がいままでどおりの構成であっても、連写撮影モードやセルフタイマモードが指定され撮影が行なわれているときには本体部からヘッド部に対して撮影指示および撮影中断の指示が適時に伝えられる撮影システムを提供することを目的とする。
【課題を解決するための手段】
【００１０】
上記目的を達成する本発明の第１の撮影システムは、撮影光学系と撮像素子とを備えたヘッド部と、そのヘッド部から画像データを受け取って記録する本体部とを備えた撮影システムにおいて、
当該撮影システムは、連写モードを有するとともに、上記本体部から上記ヘッド部へ撮影指示信号を伝える専用線を備えたものであって、
上記本体部は、
上記ヘッド部に上記専用線を介して撮影指示信号を伝達する撮影指示手段と、
上記ヘッド部からの、上記撮影指示信号の受信に応じて行なわれた撮影により得られた画像データを受け取って記録媒体に記録する記録手段と、
連写モードにおける撮影時に上記記録媒体への画像データの記録が満杯になったことを受けて、上記専用線による撮影指示信号の上記ヘッド部への伝達を禁止するマスキング手段とを備えたことを特徴とする。
【００１１】
上記本発明の第１の撮影システムによれば、上記連写モードにおける撮影時に上記記録媒体への画像データの記録が満杯になったことを受けて上記マスキング手段によって上記専用線による撮影指示信号のヘッド部への伝達が禁止される。このため上記ヘッド部が上記専用線を介して撮影指示信号を受信することがなくなってヘッド部側での撮影が即座に中断される。こうして連写撮影が即座に中断されると、ヘッド部で無駄に電力が消費されることがなくなる。
【００１２】
つまり、上記構成によれば、上記本体部に上記マスキング手段を付加するだけで、後はいままでどおりの構成のままで済む撮影システムが実現する。
【００１３】
また上記目的を達成する本発明の第２の撮影システムは、撮影光学系と撮像素子とを備えたヘッド部と、そのヘッド部から画像データを受け取って記録する本体部とを備えた撮影システムにおいて、
当該撮影システムは、セルフタイマモードを有するとともに、上記本体部から上記ヘッド部へ撮影指示信号を伝える専用線を備えたものであって、
上記本体部は、
上記ヘッド部に上記専用線を介して撮影指示信号を伝達する撮影指示手段と、
上記セルフタイマモードにおける撮影時における撮影時刻が到来するまでの間、上記専用線による撮影指示信号の上記ヘッド部への伝達を禁止するマスキング手段とを備えたことを特徴とする。
【００１４】
上記本発明の第２の撮影システムによれば、上記セルフタイマモードにおける撮影時における撮影時刻が到来するまでの間、上記マスキング手段によって上記専用線による撮影指示信号のヘッド部への伝達が禁止される。このため撮影時における撮影時刻が到来するまでの間は上記ヘッド部が上記専用線を介して撮影指示信号を受信することがなくなる。      
【００１５】
しかも撮影時刻が到来したときには上記専用線を通して上記撮影指示信号がヘッド部へ伝達されてくるので、その撮影指示信号にしたがってセルフタイマ撮影が問題なく行なわれる。
【００１６】
つまり、上記構成によっても、上記本体部に上記マスキング手段を付加するだけで、後はいままでどおりの構成のままで済む撮影システムが実現する。
【００１７】
ここで、上記本体部は、シャッタボタンを備え、上記撮影指示手段は、シャッタボタンの押下を、撮影指示信号として、上記専用線を介して上記ヘッド部に伝達するものであることが好ましい。
【００１８】
この好ましい構成であると、いままでの構成をそのまま使用し、上記シャッタボタンと上記専用線とを接続する部分に、低廉であって小型のゲート部品を用いて簡単にマスキング手段を構成することができる。
【発明の効果】
【００１９】
以上、説明したように、専用線の構成およびヘッド部の構成がいままでどおりの構成であっても、連写撮影モードやセルフタイマモードが指定され撮影が行なわれているときには本体部からヘッド部に対して撮影指示および撮影中断の指示が適時に伝えられる撮影システムが実現する。
【発明を実施するための最良の形態】
【００２０】
以下、本発明の実施の形態について説明する。
【００２１】
図１は、本発明の一実施形態である撮影システムを示す図である。
【００２２】
図１に示すように本実施形態の撮影システム１は、ヘッド部１ａと本体部１ｂとを備える。図１には、撮影光学系と撮像素子を備えたヘッド部１ａと、そのヘッド部１ａが着脱自在に装着されヘッド部１ａから画像信号を受け取って信号処理を行なう本体部１ｂとが示されている。
【００２３】
ヘッド部１ａの外観は従来の交換レンズと同様のものである。
【００２４】
本体部１ｂの中央には、多数のマウント接点を持つヘッドマウント１０ｂが配備されている。ヘッド部１ａ側にも同様のマウント部が構成されており、双方のマウント接点の位置がそれぞれあうように図中の一点鎖線に沿ってヘッド部１ａが本体部１ｂに装着されると、多数のマウント接点同士が各々接続されてヘッド部１ａと本体部１ｂとが電気的に接続される。
【００２５】
この多数のマウント接点の中のそれぞれが通信用、電力供給用にそれぞれ割り当てられていて本体部１ｂ側からヘッド部１ａ側への通信が行なわれたり、またヘッド部１ａ側から本体部１ｂ側への通信が行なわれたり、さらに本体部１ｂ側からヘッド部１ａ側への電力の供給が行なわれたりする。なお詳細は後述するが、本実施形態のカメラシステム１においては、撮影指示信号を本体部１ｂからヘッド部１ａに即時に伝えるために専用線１Ａが用いられており、その撮影指示信号以外の制御信号の本体部からヘッド部への伝達あるいはヘッド部から本体部への伝達については低速インターフェースが用いられ、ヘッド部から本体部への画像信号の伝達については、高速インターフェースが用いられている。
【００２６】
また上記ヘッドマウント１０ｂの上方にはＡＷＢセンサ１１ｂが配備され、そのＡＷＢセンサ１１ｂにより撮影時の光源種が検出される。この光源種とは、例えば太陽光であるか蛍光灯であるかといったようなものであり、この光源種がＡＷＢセンサにより検出され後述するデジタル信号処理部に適正な色温度が設定されて最適なホワイトバランスの調整が行なわれる。そのＡＷＢセンサ１１ｂの横には、閃光発光窓１２ｂが配備されており、その閃光発光窓１２ｂを通して閃光を発光する閃光発光装置が本体部１ｂ内に配備されている。さらに本体部１ｂのボディ上面にはレリーズ釦１３ｂとモードダイヤル１４ｂが配備されていて、このモードダイヤル１４ｂによって撮影モードと再生モードとが選択される。さらに撮影モードにあっては、さらに静止画撮影モードであるとか、動画撮影モードであるとかが選択され、静止画撮影モードの中にはさらに連写モードも配備されている。
【００２７】
ここで図２を参照して図１に示す撮影システムの内部の構成を説明する。
【００２８】
図２はヘッド部１ａが本体部１ｂに装着された状態にあるときの撮影システムの内部構成を示すブロック図である。
【００２９】
図２の上方側にはヘッド部１ａの構成が、また図２の下方側には本体部１ｂの構成がそれぞれ示されている。
【００３０】
まず、この撮影システムの電源廻りの構成を簡単に説明しておく。
【００３１】
ヘッド部１ａ側のＤＣ／ＤＣコンバータ１０１ａと本体側のＤＣ／ＤＣコンバータ１４１ｂは、本体部の電池の電力供給を受けて動作するものであって、ヘッド部側の電源制御部１００ａ，本体部側の電源制御部１４０ｂによってそれぞれ制御される。
【００３２】
ヘッド部１ａが本体部１ｂに装着された状態にあるときにモードダイヤル１４ｂが操作されることによって電源投入の合図がユーザ操作により行なわれると、本体部側の電源制御部１４０ｂからＤＣ／ＤＣコンバータ１４１ｂに指示が出されて本体部１ｂ内の各部に電池からの電力が供給される。このようにして電池からの電力が本体部各部に供給されたら、本体部１ｂ側の電源制御部１４０ｂ、さらにラッチ部１６０ｂ、Ｉ／Ｏ部１６１ｂを経てヘッド部１ａ側の電源制御部１００ａにも電力供給の指示が伝達され電池の電力がＤＣ／ＤＣコンバータ１０１ａを介してヘッド部１ａ側の各部に供給される。
【００３３】
なお、ヘッド部１ａが本体部１ｂに装着された状態になったときには、本体部１ｂ側の電源制御部１４０ｂにヘッド部１ａ側からロー信号（グランドレベル）が供給される。ここでモードダイヤル１４ｂの操作により電源投入の指示が行なわれたら、これを受けて本体部１ｂ側の電源制御部１４０ｂによりラッチ部１６０ｂがローからハイへ、もしくはハイからローへ切り替えられそのままラッチされてＩ／Ｏ部１６１ｂにラッチ信号が供給される。さらにＩ／Ｏ部１６１ｂからヘッド部１ｂ側の電源制御部１４０ｂへ向けてこのラッチ信号が電源オン指示となって伝達される。つまりモードダイヤルが操作され電源スイッチ１４ｂが投入されたときには、本体部１ｂ側のＤＣ／ＤＣコンバータ１４０ｂ、またヘッド部１ａ側のＤＣ／ＤＣコンバータ１０１ａから各部に電力が供給されてこの撮影システム全体が撮影システムとして立ち上がり動作するようになっている。
【００３４】
次に、電源が投入され、この撮影システム１が動作して撮影が行なわれたときにヘッド部１ａから本体部１ｂへ送信される画像信号の流れを説明する。
【００３５】
まず、ヘッド部１ａ側の構成を説明する。
【００３６】
図２に示すようにこの撮影システム１を構成するヘッド部１ａには、撮影光学系１１ａと撮像素子（ここではＣＣＤ固体撮像素子が用いられているので以下ＣＣＤという）１２ａとが備えられている。その撮影光学系１１ａ内には撮影レンズや絞りなどが配備されている。その撮影光学系１１ａ内の撮影レンズで被写体をＣＣＤ１２ａに結像させて、ＣＣＤ１２ａで画像データの生成を行なっている。このＣＣＤ１２ａで生成された画像データがアナログ信号処理部１３ａに出力されそのアナログ信号処理部１３ａでノイズ低減の処理などが行なわれた後、後段のＡ／Ｄ部１４ａでアナログ信号の画像信号がデジタル信号の画像信号に変換される。さらにその画像信号が高速シリアルＩ／Ｆ１５０ａに供給され、この高速シリアルＩ／Ｆ１５０ａおよび本体部の高速シリアルＩ／Ｆ１５０ａを経由してカメラ１ｂ本体側にデジタル信号になった画像信号が送信される。
【００３７】
この本体部側に送信される画像信号の中には、モードダイヤル１４ｂによっていずれかの撮影モードが選択された状態にあるときに撮影光学系内の撮影レンズが捉えた被写体をＬＣＤパネル（図示せず）上に表示するためのスルー画用の画像信号（以下スルー画信号という）やその撮影モードの中の静止画撮影モードが選択された状態にあるときにレリーズ釦１３ｂの操作により得られる静止画像を表す画像信号（以下静止画信号という）やその撮影モードの中の動画モードが選択された状態にあるときにレリーズ釦１３ｂの操作により得られる動画を表す画像信号（以下動画信号という）の３通りの画像信号がある。
【００３８】
またＡ／Ｄ部１４ａでデジタル信号に変換された画像信号はＡ／Ｄ部１４ａの後段に設けられた積算回路１６ａにも供給されている。この積算回路１６ａはＡＦ機能（以下ＡＦという）およびＡＥ機能（以下ＡＥという）を果たすものであって、この積算回路１６ａによってＡＥ機能を働かせるための被写界輝度の測定やＡＦ機能を働かせるための被写体距離の測定が行なわれている。その積算回路１６ａで測定された被写体距離や被写界輝度がデータバス１９２ａを介して絞り／フォーカス／ズーム制御部１７ａに供給され、その絞り／フォーカス／ズーム制御部１７ａによって撮影光学系内の絞りの径が調節されたり、撮影光学系内のフォーカスレンズの位置が調節されたりする。このようにしておくとこのヘッド部１ａが備える撮影光学系内のレンズが異なる被写体に向けられる度にＡＦやＡＥが働きすぐにピントや輝度の調整が行なわれてピントの合った被写体を表す画像データがＣＣＤ１２ａで生成されＣＣＤ１２ａから出力される。  
【００３９】
以上がヘッド部１ａ側の構成である。
【００４０】
次に本体部１ｂの構成を説明する。
【００４１】
まず、スルー画信号がヘッド部側の高速シリアルＩ／Ｆ１５０ａ，本体部側の高速シリアルＩ／Ｆ１５０ｂを経由して供給されてきたら、そのスルー画信号にデジタル信号処理部１０３ｂで処理が施されその処理が施された画像信号がフレームメモリ１０４ｂを経由してＬＣＤ制御部１０５ｂ、さらにＬＣＤ１０５０ｂに供給されＬＣＤ表示画面上にスルー画信号に基づくスルー画が表示される。ＬＣＤ制御部１０５ｂにはＯＳＤ（Ｏｎ  Ｓｃｒｅｅｎ  Ｄｉｓｐｌａｙ）１０５１ｂ側からの情報も供給されているのでスルー画に重ねて選択メニューなども表示される。
【００４２】
また、そのスルー画を見ながらレリーズ釦１３ｂが押されたら、ＣＣＤ１２ａで生成された静止画信号が高速シリアルＩ／Ｆ１５０ｂを経由して本体部１ｂに送信されデジタル信号処理部１０３ｂで信号処理が施され、さらにカードＩ／Ｆ１０６ｂを経由してメモリカードスロット１０７ｂに装填されているメモリカード１０８ｂにＪＰＥＧ圧縮された静止画信号が記録される。なお、本体部１ｂには、画像信号の処理を行なう部分のほか、ＯＳＤ１０５１ｂを経由してＬＣＤ画面上に時刻や日付情報を表示するためのデータを作成するタイマ１１０ｂやカレンダ時計１１１ｂなどや外部機器との接続用のＵＳＢＩ／Ｆ１３１ｂおよびＵＳＢコネクタ１３０ｂやこの撮影システムに操作指示を与えたり簡易表示を行なったりするスイッチ／ＬＥＤ等１３２ｂなども配備されている。このスイッチ／ＬＥＤのスイッチ側の操作指示は、Ｉ／Ｏ１３３ｂを介して本体ＣＰＵ１００ｂに供給され、本体ＣＰＵ１００ｂによってその操作指示に応じた処理が行なわれ、その操作指示に応じて処理が行なわれていることが上記スイッチ／ＬＥＤのＬＥＤ等により表示される。またレリーズ釦１３ｂは本体ＣＰＵ１００ｂおよびヘッドＣＰＵ１９ａの双方の割り込み端子に双方とも専用線１Ａで接続されていてレリーズ釦１３ｂが押されたときには、双方のＣＰＵ１９ａ，１００ｂに割り込みがかけられて静止画処理プログラムもしくは動画プログラムが起動されるようになっている。
【００４３】
また上記静止画信号のほかに動画像信号がヘッド部１ａから本体部１ｂに高速シリアルＩ／Ｆを経由して供給されてきたら、動画信号にデジタル信号処理部１０３ｂで処理が施されカードＩ／Ｆ１０６ｂを経由してメモリカードスロット１０７ｂに装填されているメモリカード１０８ｂに例えばＭＰＥＧ圧縮された画像信号が記録される。
【００４４】
また、上記構成の撮影システム１においては、連写モードが指定されてシャッタボタンが撮影者により押し続けられたときには、専用線１Ａを介して所定の間隔ごとに撮影指示信号がヘッド部１ａに伝達され、ヘッド部１ａで生成された画像信号がヘッド部から高速Ｉ／Ｆを通して本体部１ｂに順次に送られてくる。なお図２のシャッタボタン１３ｂの部分には不図示のスイッチ回路が構成されていて、本体ＣＰＵ１００ｂから連写モードが指定されたことが伝えられると、シャッタボタン１３ｂが押され続けている限り、操作により設定されたとおりの回数までの撮影指示信号が所定の間隔ごとにそのスイッチ回路から出力される構成になっている。本実施形態においては、図２のシャッタボタン１３ｂと不図示のスイッチ回路とが本発明にいう撮影指示手段に該当する。
【００４５】
ヘッド部１ａから画像信号が高速シリアルＩ／Ｆ１５０ａ，１５０ｂを通して順次に送信されてきたら、本体部１ｂでは一枚の静止画撮影が行なわれたときと同様の処理が連続的に行なわれ所定の間隔ごとに撮影された静止画信号が次々と圧縮され圧縮された静止画信号が本発明にいう記録手段に該当するカードＩ／Ｆによってメモリカード１０８ｂに記録される。
【００４６】
ここで前述した様に、従来においてはカードＩ／Ｆ１０６ｂによるメモリカード１０８ｂへの記録が満杯になってもシャッタボタン１３ｂが押し続けられていた場合には、低速シリアルＩ／Ｆ１５１ｂ、１５１ａを通して撮影の中断を指示する信号をヘッド部１ａに供給していたため、通知が遅れて少しの間ヘッド部１ａが動作し続けてヘッド部１ａの電力が無駄に消費されてしまっていた。
【００４７】
そこで、本実施形態では、撮影指示信号をヘッド部１ａへ伝えることを禁止するマスキング手段１０００ｂをシャッタボタン１３ｂと専用線１Ａとの間に設けて、連写モードにおける撮影時に記録媒体であるメモリカード１０８ｂへの画像データの記録が満杯になったことを本体ＣＰＵ１００ｂがカードＩ／Ｆ１０６ｂから受けたときには本体ＣＰＵ１００ｂがそのマスキング手段１０００ｂに指示して上記専用線１Ａによる撮影指示信号の上記ヘッド部１ａへの伝達を禁止して、ヘッド部１ａ側の撮影処理を即座に中断させている。こうしておくと、ヘッド部１ａで撮影処理が続行され電力が無駄に消費されることがなくなる。
【００４８】
図３は、上記マスキング手段１０００ｂの構成を示す図である。
【００４９】
また図４は、図３の各部の論理を表わす真理値表である。
【００５０】
本実施形態においては、本発明にいうマスキング手段１０００ｂは、インバータＮ１，Ｎ２とアンドゲートＡＮＤ１とＮＰＮトランジスタ（オープンコレクタ）Ｑ１で構成されている。
【００５１】
図３に示す様に、本体ＣＰＵ１００ｂは、通常マスク端子ＭＫからローの信号を出力していてアンドゲードＡＮＤ１の一方の入力端子をハイにすることで、アンドゲートＡＮＤ１の他方の端子にレリーズボタン１３Ｂの操作に応じた信号が入力されてきたときにはその信号をそのままヘッドＣＰＵ１９ａに撮影指示信号として伝達することができる様にしている。
【００５２】
その一方で連写モードにおける撮影時に記録媒体であるメモリカード１０８Ｂへの画像データの記録が満杯になったことをメモリカードＩ／Ｆ１０６ｂから受けたときには、本体ＣＰＵ１００ｂは、マスク端子ＭＫからハイ信号を出力してアンドゲートＡＮＤ１の一方の入力端子をローにすることでアンドゲートＡＮＤ１の他方の入力端子（レリーズボタン１３ｂ）側にどのような論理の信号が入力されようともアンドゲートＡＮＤ１からは同じ信号（ロー信号）が出力される様にして専用線１Ａによる撮影指示信号のヘッド部１ａへの伝達を禁止している。なお、図３にはレリーズボタン１３ｂが操作されたときに単一のパルスが出力されるだけの構成が示されているが、実際には、最初のパルスのタイミングを受けて連続的にパルスを発生する不図示のスイッチ回路が構成されている。
【００５３】
ここで、図３の回路図を参照しながら、詳細に回路動作を説明する。
【００５４】
通常時には、つまり記録媒体であるメモリカード１０８ｂへの記録が満杯であることを通知する信号がカードＩ／Ｆ１０６ｂから供給されていないときに本体ＣＰＵ１００ｂは、まず、マスク端子ＭＫからロー信号を出力する。そうするとインバータＮ１を通ってアンドゲートＡＮＤ１の入力端子にハイ信号が入力される。
【００５５】
アンドゲートＡＮＤ１がこの状態にあるときにレリーズボタン１３ｂが押されていなければ、アンドゲートＡＮＤ１の出力はローに引き下げられトランジスタがオフ状態になって、ヘッドＣＰＵ１９ａにはハイ信号が伝えられたままになる。
【００５６】
ここで、レリーズボタン１３ｂが押されることにより撮影開始が合図されると図中の１の部分の論理がハイからローに反転するのでインバータＮ２の入力端子がローに引き下げられアンドゲートＡＮＤ１の他方の入力端子にハイ信号が入力される。そうするとアンドゲートＡＮＤ１の双方の入力端子ともハイになるのでアンドゲートからはハイ信号が出力される。そうしたらいままでオフしていたトランジスタＱ１がオンして、トランジスタＱ１のコレクタ電位がローにまで引き下げられそのロー信号が撮影指示信号としてヘッドＣＰＵ１９ａに伝えられる。なお、図３には示されていないが、レリーズボタン１３ｂの押下されたときのタイミングを最初のパルス発生タイミングとして所定の間隔ごとにハイからローそしてハイに反転するパルス信号が連続的に出力されると、連続的に出力されたパルス信号が次々とヘッドＣＰＵ１９ａに伝えられる。
【００５７】
ここで、カードＩ／Ｆ１０６ｂからメモリカード１０８ｂへの記録が満杯であることが通知されてきたときに本体ＣＰＵ１００ｂは、マスク端子ＭＫからハイ信号を出力する。そうするとインバータＮ１を通ってアンドゲートＡＮＤ１の一方の入力端子にロー信号が入力される。
【００５８】
アンドゲートＡＮＤ１がこの状態にあるときにレリーズボタン１３ｂが押し続けられていて、パルスが出力されていても、アンドゲートＡＮＤ１の出力はローに引き下げられたままになって、トランジスタＱ１がオフしたままになるので、ヘッドＣＰＵ１９ａには撮影指示が伝えられなくなる。つまり、マスク端子からハイ信号が出力されたときには、撮影指示信号がマスクされヘッド部への伝達が禁止される。
【００５９】
ここで、図４を参照して本体ＣＰＵ１００ｂによってマスクが行なわれたときとマスクが行なわれないときとの回路の動作状態の違いを説明する。
【００６０】
図４には、図３中にある符号１〜５までの番号が示す位置の論理が示されている。
【００６１】
図４の符号３の欄の左側（ハッチング部分）に示す様にアンドゲートＡＮＤ１のマスク端子側の入力端子（符号３で示すところ）がハイ（Ｈ）になっているときには、符号１で示すところの論理の反転がそのままヘッドＣＰＵ１９ａ（符号５で示すところ）に伝えられる。つまり、アンドゲートＡＮＤ１が通過ゲートになってヘッドＣＰＵ１９ａにレリーズボタンが押されている間中、所定の間隔ごとに撮影開始指示が伝えられる。
【００６２】
これに対して図４の符号３の欄の右側（丸で囲まれている部分）に示す様にアンドゲートＡＮＤ１のマスク端子側の入力端子（符号３で示すところ）がロー（Ｌ）になっているときには、符号１で示すところの論理が反転してもヘッドＣＰＵ１９ａ（符号５で示すところ）には論理の反転が伝えられずにハイ信号が伝えられたままになる。つまり、アンドゲートのマスク端子側の入力端子がローになるとアンドゲートＡＮＤ１が遮断ゲートになってレリーズボタン１３ｂが押し続けられていて不図示のスイッチ回路からパルス信号が出力されていたとしてもヘッドＣＰＵ１９ａへは伝達されなくなる。
【００６３】
この様なマスキング手段１１００ｂを設けておくと、メモリカード１０８ｂへの記録の満杯が本体ＣＰＵ１００ｂに通知されたときにすぐにヘッド部１ａへの撮影指示信号の伝達を禁止してヘッド部の撮影処理を即座に中断させることができる。
【００６４】
図５（ａ）は、本体ＣＰＵ１００ｂが行なう連写モード時の撮影処理の手順を示すフローチャートである。またず５（ｂ）は、ヘッドＣＰＵが行なう連写モード時の撮影処理の手順を示すフローチャートである。
【００６５】
連写モードが指定されたらこのフローの処理が開始される。
【００６６】
ステップＳ５０１で、レリーズボタン１３ｂが押されているかどうかを判定する。ステップＳ５０１でレリーズボタン１３ｂが押されていると判定したらＹｅｓ側へ進み、ステップＳ５０１でレリーズボタン１３ｂが押されていないと判定したらＮｏ側へ進んでステップに進む。
【００６７】
ステップＳ５０１でＮｏ側に進んだらステップＳ５０２で連写モードを終了するかどうかを判定し連写モードを終了しないと判定したらステップＳ５０１に戻ってレリーズボタン１３ｂが押されるのを待ち、ステップＳ５０２で連写モードを終了すると判定したら連写を終了してこのフローの処理を終了する。
【００６８】
ステップＳ５０１でＹｅｓ側へ進んだらステップＳ５０３でメモリカード１０８ｂの空き容量が２枚以上あるかどうかを判定する。このステップＳ５０３で２枚以上あると判定したらＹｅｓ側へ進んでステップＳ５０４でヘッド部へ撮影指示信号を専用線を通して伝達してヘッド部に撮影処理を行なわせる。ステップＳ５０１に戻ってレリーズボタン１３ｂがまだ押されていたら、連写が続けられていると判定してステップＳ５０３、ステップＳ５０４の処理を繰り返し行なう。
【００６９】
レリーズボタン１３ｂが押され続けて連写が行なわれている最中にステップＳ５０３でメモリカードの空き容量が２枚以上ないと判定したらＮｏ側へ進んでステップＳ５０５でマスク端子ＭＫ（図３参照）からロー信号を出力してレリーズボタン１３ｂの押下を撮影指示信号としてヘッド部に伝達するのを禁止してこのフローの処理を終了する。
【００７０】
図５（ｂ）は、ヘッドＣＰＵ１９ａが、本体ＣＰＵ側の図５（ａ）のステップＳ５０４の処理を受けて行なう撮影処理の手順を示すフローチャートである。
【００７１】
なお、本体部１ｂから低速シリアルＩ／Ｆ１５１ｂ，１５１ａを介して連写モードであることが通知されてきたらこの図５（ｂ）のフローの処理が開始される。
【００７２】
ステップＳ５０４１で本体部１ｂが備えるレリーズボタン１３ｂが押し続けられていることにより撮影指示信号が専用線１Ａを通して伝達されてきたかどうかを判定する。このステップＳ５０４１で撮影指示信号が専用線１Ａを通して伝達されてきたと判定したら、Ｙｅｓ側へ進んでステップＳ５０４２で撮影処理を実行する。撮影処理が終了したらステップＳ５０４３で高速Ｉ／Ｆ１５０ａ、１５０ｂを通して画像信号を送信する。ステップＳ５０４１に戻ってステップＳ５０４１でレリーズボタンがまだ押され続けていて撮影指示信号が伝達されてきたと判定したら、ステップＳ５０４２からステップＳ５０４１までの処理を繰り返し行う。ステップＳ５０４２からステップＳ５０４１の処理が繰り返し行なわれている最中にステップＳ５０４１で撮影指示信号が伝達されてこないと判定したらステップＳ５０４１で撮影指示信号が伝達されてくるのを待ち受ける待ち受け状態に移行する。
【００７３】
以上、説明したように、専用線がいままでどおりに一本であってヘッド部の構成がいままでどおりの構成であっても、連写撮影モードが指定され撮影が行なわれているときには本体部からヘッド部に対して撮影指示および撮影中断の指示が適時に伝えられる撮影システムが実現する。
【００７４】
図６は、第２実施形態を説明する図である。
【００７５】
第２実施形態の撮影システムも図１の外観と図２の内部構成を持つものであるとする。
【００７６】
ただし、図３のマスキング手段１０００ｂの構成が、連写モードの代わりにセルフタイマモードにおける撮影時における撮影時刻が到来するまでの間、専用線１Ａによる撮影指示信号のヘッド部への伝達を禁止するとともにセルフタイマの秒時後に専用線により撮影指示信号をヘッド部１ａへ伝達する構成のマスキング手段１０００ｂ´に変更されている。
【００７７】
ヘッド部１ａへの撮影指示信号の伝達を禁止する部分の構成は図３の構成と同じであり、その図３の構成に加えてセルフタイマ秒時後にタイマ端子ＴＭから撮影指示信号を出力する部分を加えてある。
【００７８】
図６の構成であると、タイマ端子ＴＭからセフルタイマ秒時後にローからハイに反転する信号が供給されるのでそのときに始めてトランジスタＱ２のコレクタ電位がロー電位に引き下げられることによりヘッドＣＰＵ１９ａに撮影指示信号が伝達される。
【００７９】
図７（ａ）は、本体ＣＰＵが行なうセルフタイマ撮影処理の手順を示すフローチャートである。
【００８０】
セルフタイマモードが指定されたらこのフローの処理が開始される。
【００８１】
ステップＳ７０１でレリーズボタン１３ｂが押されたかどうかを判定する。ステップＳ７０１で押されていないと判定したらＮｏ側へ進んでステップＳ７０１の処理を繰り返す。ステップＳ７０１でレリーズボタン１３ｂが押されたと判定したらＹｅｓ側へ進んでステップＳ７０２でタイマを作動させてカウントダウンを開始し、次のステップＳ７０３で、カウント値が０になったかどうかを判定する。カウント値が０になるまでステップＳ７０３の処理を繰り返し行ってカウント値が０になったらＹｅｓ側へ進んでステップＳ７０４でタイマ端子ＴＭから撮影指示信号を出力してヘッド部１ａに伝達する。ステップＳ７０５でヘッド部１ａに撮影を行なわせて高速シリアルＩ／Ｆ１５０ａ、１５０ｂを介して画像信号を取得したらこのフローの処理を終了する。
【００８２】
図７（ａ）のステップＳ７０４の処理が本体側で行なわれたら、その処理を受けてヘッドＣＰＵ１９ａは撮影処理が開始される。
【００８３】
図７（ｂ）は、ヘッドＣＰＵ１９ａが行なうセルフタイマ撮影処理の手順を示すフローチャートである。
【００８４】
ステップＳ７０４１で撮影指示信号が専用線１Ａを通して伝達されてきたかどうかを判定する。このステップＳ７０４１で撮影指示信号が伝達されてきていないと判定したらステップＳ７０４１の処理を繰り返す。ステップＳ７０４１で撮影指示信号が伝達されてきたと判定したら、Ｙｅｓ側へ進んでステップＳ７０４２で撮影処理を実行する。次のステップＳ７０４３で画像信号を本体部１ｂへ高速Ｉ／Ｆ１５０ａを使って伝達したらステップＳ７０４１に戻って撮影指示信号が伝達されてくるのを待ち受ける。
以上説明した様に、以上、説明したように、専用線がいままでどおりに一本であってヘッド部の構成がいままでどおりの構成であっても、連写撮影モードやセルフタイマモードが指定され撮影が行なわれているときには本体部からヘッド部に対して撮影指示および撮影中断の指示が適時に伝えられる撮影システムが実現する。
【図面の簡単な説明】
【００８５】
【図１】本発明の一実施形態である撮影システムを示す図である。
【図２】ヘッド部１ａが本体部１ｂに装着された状態にあるときの撮影システムの内部構成を示すブロック図である。
【図３】マスキング手段の構成を示す図である。
【図４】図３の各部の論理を表わす真理値表である。
【図５（ａ）】本体ＣＰＵ１００ｂが行なう連写撮影処理の手順を示すフローチャートである。
【図５（ｂ）】ヘッドＣＰＵが行なう連写撮影処理の手順を示すフローチャートである。
【図６】第２実施形態を説明する図である。
【図７（ａ）】本体ＣＰＵが行なうセルフタイマ撮影処理の手順を示すフローチャートである。
【図７（ｂ）】ヘッドＣＰＵ１９ａが行なうセルフタイマ撮影処理の手順を示すフローチャートである。
【符号の説明】
【００８６】
１  撮影システム
１a    ヘッド部
１９ａ    ヘッドＣＰＵ
１ｂ    本体部
１３ｂ    レリーズボタン
１００ｂ    本体ＣＰＵ
１０００ｂ  １０００ｂ´  マスキング手段
Ｎ１  Ｎ２    インバータ
ＡＮＤ１  アンドゲート
Ｑ１  Ｑ２    トランジスタ（オープンコレクタ）
１Ａ    専用線
【図１】
2008079083.tif 000003
【図２】
2008079083.tif 000004
【図３】
2008079083.tif 000005
【図４】
2008079083.tif 000006
【図５（ａ）】
2008079083.tif 000007
【図５（ｂ）】
2008079083.tif 000008
【図６】
2008079083.tif 000009
【図７（ａ）】
2008079083.tif 000010
【図７（ｂ）】
2008079083.tif 000011